(57)【特許請求の範囲】
【請求項１】
ポストの裏面の取り出し口にこの取り出し口を開閉する裏蓋を配置し、取り出し口の上部の両側に軸取り付け穴を設けると共に裏蓋の内面側に設けた軸受け台に軸挿通穴を設け、上記軸取り付け穴と軸挿通穴とを対応させた状態で軸取り付け穴と軸挿通穴とに軸ピンを挿通して裏蓋を回転自在に取り付けることで裏蓋を開閉自在にし、裏蓋を全閉した状態で裏蓋の内面の両側が当たる蓋受け縁を取り出し口の両側に設け、裏蓋を全開した状態で上記蓋受け縁の上端に係止する係止爪を裏蓋の内面に設けると共にこの状態で取り出し口の上縁に係止する係止部を裏蓋の外面に設け、係止爪と蓋受け縁とが係止し且つ取り出し口の上縁と係止部とが係止した仮止め状態で上記軸挿通穴と軸取り付け穴とが合致するようにして成ることを特徴とするポストの裏蓋の取り付け構造。
【請求項２】
裏蓋の内面の両側に軸受け台を設け、両側の軸受け台の軸挿通穴に夫々別々の軸ピンを挿通することで裏蓋を回転自在に装着したことを特徴とする請求項１記載のポストの裏蓋の取り付け構造。
【請求項３】
頭部を有する軸ピンを軸挿通穴から軸取り付け穴に挿通し、軸ピンの頭部に係止して軸ピンを抜け止めをする抜け止めねじを裏蓋に螺合して成ることを特徴とする請求項２記載のポスト裏蓋の取り付け構造。
【請求項４】
裏蓋を合成樹脂にて形成すると共に裏蓋に軸受け台を一体に成形して成ることを特徴とする請求項１乃至請求項３のいずれかに記載のポストの裏蓋の取り付け構造。
【請求項５】
裏蓋の内面に設けた角筒状の軸受け台の両端の端壁に夫々軸挿通穴を設け、軸ピンを軸受け台の両端の軸挿通穴と軸取り付け穴に挿通して裏蓋を回転自在に取り付け、軸ピンを受けて軸ピンの挿通をガイドするＶブロック状のガイド受け部を軸受け台の両端の端壁間に設けて成ることを特徴とする請求項１乃至請求項４のいずれかに記載のポストの裏蓋の取り付け構造。
【請求項６】
頭部を有する軸ピンを軸受け台の軸挿通穴に挿通し、軸ピンの頭部に係止して軸ピンの抜け止めをする係止突起を裏蓋の軸受け台の近傍に設けて成ることを特徴とする請求項１または請求項２記載のポストの裏蓋の取り付け構造。
【請求項７】
裏蓋の内面に設けた角筒状の軸受け台の両端の端壁に夫々軸挿通穴を設け、軸ピンを軸受け台の両端の軸挿通穴と軸取り付け穴に挿通して裏蓋を回転自在に取り付け、軸ピンを受けて軸ピンの挿通をガイドするＶブロック状のガイド受け部を軸受け台の両端の端壁間に設け、軸ピンを軸挿通穴に挿通したとき頭部が係止突起を越えて係止する手前で軸ピンを受ける位置に上記ガイド受け部を設けて成ることを特徴とする請求項６記載のポストの裏蓋の取り付け構造。
【発明の詳細な説明】
【０００１】
【発明の属する技術分野】
本発明は郵便物や新聞等を受ける家庭用のポストで取り出し口に裏蓋を開閉自在に取り付ける構造に関するものである。
【０００２】
【従来の技術】
従来、図１８、図１９に示すようにポスト１の裏面に取り出し口２を設けてあり、この取り出し口２にこの取り出し口２を開閉する裏蓋３を配置してあり、取り出し口２の両側の上部には軸取り付け穴５を穿孔してある。裏蓋３の内面の両側には軸挿通穴６を有する軸受け金具７′を配置してあり、裏蓋３の外面から軸受け金具７′に螺合した取り付けねじ８にて裏蓋３に軸受け金具７′を取り付けてある。裏蓋３を取り付けるとき、１本の軸ピン９′を両側の軸受け金具７′の軸挿通穴６に挿通し、軸挿通穴６と上記軸取り付け穴５とを合わせ、軸ピン９′の両端を軸取り付け穴５に挿入してあり、このように取り付けることで軸ピン９′の回りに裏蓋３を回転自在に装着し、裏蓋３を開閉自在にしてある。
【０００３】
【発明が解決しようとする課題】
上記、従来例では裏蓋３を取り付けるとき、裏蓋３を一方の手で持って裏蓋３の全開位置で裏蓋３の上部を取り出し口２の上部に挿入し、他方の手で図２０  に示すように軸ピン９′を持って軸ピン９′を強引に変形させ、一方の手で軸受け金具７′の軸挿通穴６と軸取り付け穴５とを対応させ、軸ピン９′の両端を軸取り付け穴５に挿入しなければならない。このように一方の手で軸取り付け穴５と軸挿通穴６とを合わせ、他方の手で軸ピン９′の挿入操作をしなければならなく、軸ピン９′の挿入作業が両手できないために組み立て性が悪いという問題がある。また軸ピン９′を強引に変形させて無理やりに軸ピン９′を軸取り付け穴５に挿入しなければならなく、軸ピン９′の取り付け作業がしにくいという問題もある。また軸受け金具７′を取り付けるとき、裏蓋３の外面側から取り付けねじ８を螺入しているために取り付けねじ８の頭をかくすために図２１に示すように目隠しシール１０を貼ったりしなければならないという問題がある。また軸ピン９′が裏蓋３の左右の幅方向に亙ったものであるために、裏蓋３が透明や半透明の合成樹脂にて形成されている場合、軸ピン９′の軸受け金具７′間の部分が見えて外観上好ましくないという問題がある。
【０００４】
本発明は叙述の点に鑑みてなされたものであって、軸ピンの挿入が両手でできて組み立て性を向上できると共に組み立て時間を削減することができるポストの裏蓋の取り付け構造を提供することを課題とする。
【０００５】
【課題を解決するための手段】
上記課題を解決するため本発明の請求項１のポストの裏蓋の取り付け構造は、ポスト１の裏面の取り出し口２にこの取り出し口２を開閉する裏蓋３を配置し、取り出し口２の上部の両側に軸取り付け穴５を設けると共に裏蓋３の内面側に設けた軸受け台７に軸挿通穴６を設け、上記軸取り付け穴５と軸挿通穴６とを対応させた状態で軸取り付け穴５と軸挿通穴６とに軸ピン９を挿通して裏蓋３を回転自在に取り付けることで裏蓋３を開閉自在にし、裏蓋３を全閉した状態で裏蓋３の内面の両側が当たる蓋受け縁４を取り出し口２の両側に設け、裏蓋３を全開した状態で上記蓋受け縁４の上端に係止する係止爪１１を裏蓋３の内面に設けると共にこの状態で取り出し口２の上縁２ａに係止する係止部１２を裏蓋３の外面に設け、係止爪１１と蓋受け縁４とが係止し且つ取り出し口２の上縁２ａと係止部１２とが係止した仮止め状態で上記軸挿通穴６と軸取り付け穴５とが合致するようにして成ることを特徴とする。上記のように構成したことにより、裏蓋３を取り付けるとき、裏蓋３の全開姿勢で裏蓋３の上部をポスト１の取り出し口２の上部に挿入し、係止爪１１と蓋受け縁４とを係止すると共に取り出し口２の上縁２ａに係止部１２を係止させると、軸挿通穴６と軸取り付け穴５とが対応するように仮止めされ、この状態で軸挿通穴６と軸取り付け穴５とに軸ピン９を挿通して裏蓋３を回転自在に取り付けることができる。これにより、裏蓋３を手で持ったりする必要がなく、両手で軸ピン９の挿入作業ができ、組み立て性を向上できると共に組み立て時間を削減することができる。
【０００６】
また本発明の請求項２のポストの裏蓋の取り付け構造は、請求項１において、裏蓋３の内面の両側に軸受け台７を設け、両側の軸受け台７の軸挿通穴６に夫々別々の軸ピン９を挿通することで裏蓋３を回転自在に装着したことを特徴とする。このように構成したことにより、従来の１本の軸ピン９′を挿通するもののように軸ピン９′を強引に変形させたりする必要がなくて組み立て性を向上できる。また裏蓋３が透明または半透明でも従来のように軸ピン９′が写って外観が悪くなることがないようにできる。
【０００７】
また本発明の請求項３のポストの裏蓋の取り付け構造は、請求項２において、頭部９ａを有する軸ピン９を軸挿通穴６から軸取り付け穴５に挿通し、軸ピン９の頭部９ａに係止して軸ピン９を抜け止めをする抜け止めねじ１３を裏蓋３に螺合して成ることを特徴とする。両側に夫々別々の軸ピン９を挿通するものでも軸ピン９が抜けないように取り付けることができる。
【０００８】
また本発明の請求項４のポストの裏蓋の取り付け構造は、請求項１乃至請求項３のいずれかにおいて、裏蓋３を合成樹脂にて形成すると共に裏蓋３に軸受け台７を一体に成形して成ることを特徴とする。このように構成したことにより、従来の軸受け金具７′のように取り付けねじ８で取り付ける必要がなくなり、目隠しシール１０を貼ったりする必要がなくなる。
【０００９】
また本発明の請求項５のポストの裏蓋の取り付け構造は、請求項１乃至請求項４のいずれかにおいて、裏蓋３の内面に設けた角筒状の軸受け台７の両端の端壁７ａに夫々軸挿通穴６を設け、軸ピン９を軸受け台７の両端の軸挿通穴６と軸取り付け穴５に挿通して裏蓋３を回転自在に取り付け、軸ピン９を受けて軸ピン９の挿通をガイドするＶブロック状のガイド受け部２５を軸受け台７の両端の端壁７ａ間に設けて成ることを特徴とする。一端の端壁７ａの軸挿通穴６に軸ピン９を挿通してから他端の端壁７ａの軸挿通穴６に軸ピン９を挿通するときＶブロック状のガイド受け部２５に軸ピン９がガイドして受けられ、軸ピン９を挿通するとき軸ピン９が振れたりすることなく軸ピン９を軸挿通穴６に合わせて挿通でき、軸ピン９を容易に挿通できて組み立て性を向上できる。
【００１０】
また本発明の請求項６のポストの裏蓋の取り付け構造は、請求項１または請求項２において、頭部９ａを有する軸ピン９を軸受け台７の軸挿通穴６に挿通し、軸ピン９の頭部９ａに係止して軸ピン９の抜け止めをする係止突起２６を裏蓋３の軸受け台７の近傍に設けて成ることを特徴とする。両側に夫々別々の軸ピン９を挿通するものでも軸ピン９が抜けないように取り付けることができる。また係止突起２６に頭部９ａを係止して軸ピン９の抜け止めができて簡単な構造で且つ簡単な操作で軸ピン９の抜け止めができる。
【００１１】
また本発明の請求項７のポストの裏蓋の取り付け構造は、請求項６において、裏蓋３の内面に設けた角筒状の軸受け台７の両端の端壁７ａに夫々軸挿通穴６を設け、軸ピン９を軸受け台７の両端の軸挿通穴６と軸取り付け穴５に挿通して裏蓋３を回転自在に取り付け、軸ピン９を受けて軸ピン９の挿通をガイドするＶブロック状のガイド受け部２５を軸受け台７の両端の端壁７ａ間に設け、軸ピン９を軸挿通穴６に挿通したとき頭部９ａが係止突起２６を越えて係止する手前で軸ピン９を受ける位置に上記ガイド受け部２５を設けて成ることを特徴とする。軸ピン９を軸挿通穴６に挿通するとき係止突起２６を頭部９ａが越える前にガイド受け部２５にて軸ピン９をガイドして受けることができ、軸ピン９をガイド受け部２５にてガイドして軸ピン９を軸挿通穴６にスムーズに挿通できると共に軸ピン９を軸挿通穴６に挿通した状態で係止突起２６に頭部９ａを係止できて組み立て性を向上できる。
【００１２】
【発明の実施の形態】
ポスト１のポスト本体１ａは図１や図２に示すように前面を開口せる角箱状に形成されており、ポスト本体１ａの裏面には投函された郵便物や新聞等の投函物を取り出すための矩形状の取り出し口２を設けてある。この取り出し口２は取り出し口２に回転自在に装着した裏蓋３にて開閉自在になっている。取り出し口２の両側には裏蓋３を全閉したとき裏蓋３の両側の内面に当たる蓋受け縁４を上下方向の略全長に亙るように設けてあり、取り出し口２の両側の上端に軸取り付け穴５を穿孔してある。ポスト本体１ａの取り出し口２の下方の左右の幅方向の中央には係合穴１４を設けてある。
【００１３】
裏蓋３には上記の取り出し口２に合致するような矩形板状に形成されているが、本例の場合、合成樹脂にて形成されている。裏蓋３の内面の両側には軸受け台７が一体に形成されており、両側の軸受け台７には軸挿通穴６が夫々穿孔されている。本例の場合、軸受け台７は左右に長い角筒状に形成されており、両端の一対の端壁７ａと上下の一対の側壁７ｂを有しており、一対の端壁７ａと一対の側壁７ｂとで囲まれる部分が空洞となっている。そして両端の端壁７ａには軸挿通穴６が穿孔されている。両側の軸受け台７の相対向する端部には座部１５を設けてあり、座部１５にはねじ穴１５ａを穿孔してある。裏蓋３の軸受け台７には上記蓋受け縁４の上端に係止し得る係止爪１１を突設してあり、裏蓋３の外面の上部には取り出し口２の上縁２ａに係止し得る係止部１２を設けてある。この係止部１２としては係止突起１２ａまたは係止凹溝１２ｂがある。裏蓋３の下部の中央には外面側に凸曲するように取手部１７を設けてあり、取手部１７の内面側には上記係合穴１４に着脱自在に係合し得る係合金具１８を固着具１９にて取り付けてある。
【００１４】
ポスト本体１ａの取り出し口２に裏蓋３を取り付ける場合、次のように組み立てる。裏蓋３の全開姿勢で裏蓋３の上部を取り出し口２の上部に挿入し、図５に示すように係止爪１１を蓋受け縁４の上端に係止すると共に係止部１２を取り出し口２の上縁２ａに係止する。係止部１２が係止突起１２ａの場合、図５（ａ）のように係止され、係止部１２が係止凹溝１２ｂの場合、図５（ｂ）のように係止される。このように裏蓋３をセットした状態で裏蓋３が仮固定され、この状態で軸受け台４の軸挿通穴６と軸取り付け穴５とが対応する。このように裏蓋３を仮固定した状態で両手で作業して軸ピン９が軸挿通穴６に挿通されると共に軸ピン９の先端が軸取り付け穴５に挿通される。軸ピン９は左右に夫々別々に挿入される。軸ピン９を挿入して軸ピン９の端部の頭部９ａを軸受け台４に係止した状態で図６に示すように座部１５の雌ねじ穴１５ａに抜け止めねじ１３が螺合されて軸ピン９が抜けないように固定される。このように軸ピン９を装着することで裏蓋３が軸ピン９を中心に回転自在に取り付けられ、裏蓋３が開閉自在になる。
【００１５】
裏蓋３を取り付けるとき裏蓋３を上記のように仮固定して両手で軸ピン９の組み付け作業ができるために両手で作業ができ、組み立て性を向上できると共に組み立て時間を削減できる。また両側に別々に軸ピン９を挿通しても抜け止めねじ１３を装着することにより軸ピン９が抜けないように固定できる。また両側に別々の軸ピン９を挿通するために従来のように左右方向に亙る長い軸ピン９′を装着するものに比べて組み込みがしやすく、また軸ピン９′の中央部が見えたりすることなく、外観が悪くならない。さらに軸受け台７を裏蓋３に一体に成形してあるために従来のように目隠しシール１０を貼ったりする必要もない。
【００１６】
上記のように裏蓋３が取り付けられたポスト本体１ａの前面の開口は必要に応じて前面板で閉塞してある。ポスト本体１ａは例えば門扉に取り付けられるものであり、図７に示すように門扉本体２０の屋内側にポスト本体１ａが配置され、門扉本体２０の屋外側には郵便物や新聞等の投函物の投入口となるポスト口金２１が配置され、門扉本体２０を挟むように取り付けねじ２２にて取り付けられる。
【００１７】
次に図８乃至図１１に示す例について述べる。上記の例では図１２（ａ）に示す軸受け台７の両端の軸挿通穴６に軸ピン９を挿通し（以下、便宜上、両端の軸挿通穴６のうち、軸ピン９を先に挿通する一方の穴を軸挿通穴６ａといい、他方の軸挿通穴６を軸挿通穴６ｂという。）、座部１５の雌ねじ穴１５ａに抜け止めねじ１３を螺合して軸ピン９の抜け止めをしているが、軸挿通穴６ａと軸挿通穴６ｂとの間の距離があることと、軸ピン９の径に対して軸挿通穴６ａ，６ｂの径が大きいこととにより、軸ピン９を軸挿通穴６ａに挿通した時点で軸ピン９が図１２（ｂ）のように振れやすく（自由度が高く）、軸ピン８を軸挿通穴６ｂに挿通しにくく、組み立て性が悪いという問題がある。この問題を解決するのが図８乃至図１１に示す例である。
【００１８】
本例の場合、角筒状の軸受け台７内には両端の端壁７ａ間にＶブロック状のガイド受け部２５を設けてあり、このガイド受け部２５にて軸ピン９をガイドして受けるようになっている。図８乃至図１０に示す例ではガイド受け部２５を軸挿通穴６ｂに近接させた位置に設けてある。Ｖブロック状のガイド受け部２５はＶ溝２５ａを有しており、Ｖ溝２５ａの底部２５ｂを軸挿通穴６ａ，６ｂの位置に合わせてある。しかして軸ピン９を軸挿通穴６ａに合わせて指２７で押したりして挿通するが、このとき軸ピン９が図９（ｂ）に示すようにガイド受け部２５にてガイドして受けられて軸ピン９が所定位置に位置決めされ、軸ピン９を軸挿通穴６ｂにスムーズに挿通できて組み立て性がよい。また図１１に示す例ではＶブロック状のガイド受け部２５が両端の端壁７ａ間に亙るように設けてある。このようにしてあると、軸ピン９を挿通するとき軸ピン９を一層安定よくガイドして受けることができ、軸ピン９の挿通が容易になる。
【００１９】
次に図１３乃至図１５に示す例について述べる。前述の例では図１２（ａ）に示すように軸ピン９を軸挿通穴６ａ，６ｂに挿通した後に、座部１５の雌ねじ穴１５ａに抜け止めねじ１３を螺合して軸ピン９の抜け止めをしているが、抜け止めねじ１３を螺合するための雌ねじ穴１５ａをタップ加工で形成する必要があるという問題があり、また組み立て時にドライバー等の工具が必要という問題があり、さらに別部品の抜け止めねじ１３が必要になるという問題がある。その問題を解決するのが図１３乃至図１５の例である。
【００２０】
この例では座部１５に軸ピン９の頭部９ａが係止する係止突起２６を突設してある。この係止突起２６は図１３に示すように断面略二等辺三角形状であっても、図１５（ａ）に示すような断面略直角三角形状であっても、図１５（ｂ）に示すように断面略円弧状であってもよい。しかして軸ピン９を軸挿通穴６ａ，６ｂに挿通すると、頭部９ａが係止突起２６を越えて係止突起２６に頭部９ａが係止されて軸ピン９の抜け止めがされる。このように抜け止めすると、従来のようにタップ加工で雌ねじ穴１５ａを形成したり、ドライバー等の工具によりねじ締めを要したり、また別部品の抜け止めねじ１３を要したりする必要がなくなり、簡単な構造にできると共に組み立て性を向上できる。また軸ピン９の頭部９ａは図１４（ａ）に示すように逆円錐台状に形成してある。頭部９ａを逆円錐台状にしてあると、頭部９ａが係止突起２６を越えやすくて頭部９ａが係止突起２６に係止しやすくなる。また係止突起２６に頭部９ａが係止した状態で軸ピン９を抜いて取り外すとき、図１４（ｂ）に示すように頭部９ａに指２７を掛けたり、図１４（ｃ）に示すようにマイナスドライバー２８のような工具の先端を引っ掛けやすくて軸ピン９が抜きやすくなる。
【００２１】
次に図１６に示す例について述べる。本例の場合、図１３に示すような係止突起２６に軸ピン９の頭部９ａを係止するようにした構造で、軸挿通穴６ｂに近接した位置でＶブロック状のガイド受け部２５を設けてある。このガイド受け部２５は軸ピン９を軸挿通穴６ａから挿通して軸ピン９の頭部９ａが係止突起２６を越える手間の位置で軸ピン９がガイド受け部２５に受けられるような位置に設けてある。このようにしてあると、頭部９ａが係止突起２６を越える前に軸ピン９がガイド受け部２５に受けられて軸ピン９を軸挿通穴６ｂにスムーズに挿通することができ、頭部９ａを係止突起２６にスムーズに係止できる。
【００２２】
次に図１７に示す例について述べる。本例の場合、軸受け台７の端壁７ａの外側から突片３０を突設してある。この突片３０は軸挿通穴６ａの両側に位置するように一対平行に突設してある。そして一対の突片３０の先端に内方に突出するように係止突起２６を突設してある。この場合も軸ピン９を軸挿通穴９ａ，９ｂに挿通したとき一対の係止突起２６を頭部９ａが越えて係止突起２６に頭部９ａが係止する。
【００２３】
【発明の効果】
本発明の請求項１の発明は、叙述の如く裏蓋を全開した状態で上記蓋受け縁の上端に係止する係止爪を裏蓋の内面に設けると共にこの状態で取り出し口の上縁に係止する係止部を裏蓋の外面に設け、係止爪と蓋受け縁とが係止し且つ取り出し口の上縁と係止部とが係止した仮止め状態で上記軸挿通穴と軸取り付け穴とが合致するようにしているので、裏蓋を取り付けるとき、裏蓋の全開姿勢で裏蓋の上部をポストの取り出し口の上部に挿入し、係止爪と蓋受け縁とを係止すると共に取り出し口の上縁に係止部を係止させると、軸挿通穴と軸取り付け穴とが対応するように仮止めされ、この状態で軸挿通穴と軸取り付け穴とに軸ピンを挿通して裏蓋を回転自在に取り付けることができるものであって、裏蓋を手で持ったりする必要がなく、両手で軸ピンの挿入作業ができ、組み立て性を向上できると共に組み立て時間を削減することができるものである。
【００２４】
また本発明の請求項２の発明は、請求項１において、裏蓋３の内面の両側に軸受け台を設け、両側の軸受け台の軸挿通穴に夫々別々の軸ピンを挿通することで裏蓋を回転自在に装着したので、従来の１本の軸ピンを挿通するもののように軸ピンを強引に変形させたりする必要がなくて組み立て性を向上できるものであり、また裏蓋が透明または半透明でも従来のように軸ピンが写って外観が悪くなることがないようにできるものである。
【００２５】
また本発明の請求項３の発明は、請求項２において、頭部を有する軸ピンを軸挿通穴から軸取り付け穴に挿通し、軸ピンの頭部に係止して軸ピンを抜け止めをする抜け止めねじを裏蓋に螺合しているので、両側に夫々別々の軸ピンを挿通するものでも軸ピンが抜けないように取り付けることができるものである。
【００２６】
また本発明の請求項４の発明は、請求項１乃至請求項３のいずれかにおいて、裏蓋を合成樹脂にて形成すると共に裏蓋に軸受け台を一体に成形しているので、従来の軸受け金具のように取り付けねじで取り付ける必要がなくなり、目隠しシールを貼ったりする必要がなくなるものである。
【００２７】
また本発明の請求項５の発明は、請求項１乃至請求項４のいずれかにおいて、裏蓋の内面に設けた角筒状の軸受け台の両端の端壁に夫々軸挿通穴を設け、軸ピンを軸受け台の両端の軸挿通穴と軸取り付け穴に挿通して裏蓋を回転自在に取り付け、軸ピンを受けて軸ピンの挿通をガイドするＶブロック状のガイド受け部を軸受け台の両端の端壁間に設けているので、一端の端壁の軸挿通穴に軸ピンを挿通してから他端の端壁の軸挿通穴に軸ピンを挿通するときＶブロック状のガイド受け部に軸ピンがガイドして受けられるものであって、軸ピンを挿通するとき軸ピンが振れたりすることなく軸ピンを軸挿通穴に合わせて挿通でき、軸ピンを容易に挿通できて組み立て性を向上できるものである。
【００２８】
また本発明の請求項６の発明は、請求項１または請求項２において、頭部を有する軸ピンを軸受け台の軸挿通穴に挿通し、軸ピンの頭部に係止して軸ピンの抜け止めをする係止突起を裏蓋の軸受け台の近傍に設けているので、両側に夫々別々の軸ピンを挿通するものでも軸ピンが抜けないように取り付けることができるものであり、しかも係止突起に頭部を係止して軸ピンの抜け止めができて簡単な構造で且つ簡単な操作で軸ピンの抜け止めができるものである。
【００２９】
また本発明の請求項７の発明は、請求項６において、裏蓋の内面に設けた角筒状の軸受け台の両端の端壁に夫々軸挿通穴を設け、軸ピンを軸受け台の両端の軸挿通穴と軸取り付け穴に挿通して裏蓋を回転自在に取り付け、軸ピンを受けて軸ピンの挿通をガイドするＶブロック状のガイド受け部を軸受け台の両端の端壁間に設け、軸ピンを軸挿通穴に挿通したとき頭部が係止突起を越えて係止する手前で軸ピンを受ける位置に上記ガイド受け部を設けているので、軸ピンを軸挿通穴に挿通するとき係止突起を頭部が越える前にガイド受け部にて軸ピンをガイドして受けることができ、軸ピンをガイド受け部にてガイドして軸ピンを軸挿通穴にスムーズに挿通できると共に軸ピンを軸挿通穴に挿通した状態で係止突起に頭部を係止できて組み立て性を向上できるものである。
【図面の簡単な説明】
【図１】本発明の実施の形態の一例の分解斜視図である。
【図２】同上の裏蓋部分の分解斜視図である。
【図３】同上のポスト本体に裏蓋を取り付けた状態を示し（ａ）は正面図、（ｂ）は側面から見た断面図である。
【図４】同上の軸受け台部分を拡大したものであり、（ａ）は正面図、（ｂ）は左側面図、（ｃ）は一部切欠右側面図である。
【図５】（ａ）は同上の裏蓋を仮固定した状態の一例の断面図、（ｂ）は裏蓋を仮固定した状態の他例の断面図である。
【図６】同上の軸ピンを固定した状態を示し、（ａ）は正面図、（ｂ）は断面図である。
【図７】同上のポストを門扉に取り付ける状態を示す斜視図である。
【図８】同上の他の例を示し、（ａ）は全体の概略斜視図、（ｂ）は要部を拡大せる斜視図である。
【図９】（ａ）は同上の要部の他の方向から見た斜視図、（ｂ）は同上のガイド受け部の動作を説明する断面図である。
【図１０】同上の軸受け台の部分を示し、（ａ）は平面図、（ｂ）は（ａ）のＸ−Ｘ線断面図、（ｃ）は（ａ）のＹ−Ｙ線断面図である。
【図１１】同上の他例の斜視図である。
【図１２】（ａ）（ｂ）は図８乃至図１１の利点を説明するための斜視図である。
【図１３】同上の他例の要部を示し、（ａ）は斜視図、（ｂ）は断面図である。
【図１４】（ａ）は軸ピンの頭部の形状を説明する断面図、（ｂ）（ｃ）は軸ピンの頭部の形状による利点を説明する断面図である。
【図１５】（ａ）（ｂ）は同上の係止突起の他の形状を示す断面図である。
【図１６】同上の他の例の断面図である。
【図１７】同上の他の例を示し、（ａ）は斜視図、（ｂ）は断面図である。
【図１８】従来例を示し、（ａ）は一部切欠側面図、（ｂ）は一部切欠正面図である。
【図１９】（ａ）は従来例のポストと裏蓋の分解斜視図、（ｂ）は裏蓋の分解斜視図である。
【図２０】従来の裏蓋の取り付け状態を示す斜視図である。
【図２１】従来例の問題を説明する説明図である。
【符号の説明】
１  ポスト
２  取り出し口
２ａ  上縁
３  裏蓋
４  蓋受け縁
５  軸取り付け穴
６  軸挿通穴
７  軸受け台
９  軸ピン
１１  係止爪
１２  係止部
１３  抜け止めねじ
【図１】
0003620412.tif 000002
【図２】
0003620412.tif 000003
【図３】
0003620412.tif 000004
【図４】
0003620412.tif 000005
【図５】
0003620412.tif 000006
【図６】
0003620412.tif 000007
【図７】
0003620412.tif 000008
【図８】
0003620412.tif 000009
【図９】
0003620412.tif 000010
【図１０】
0003620412.tif 000011
【図１１】
0003620412.tif 000012
【図１２】
0003620412.tif 000013
【図１３】
0003620412.tif 000014
【図１４】
0003620412.tif 000015
【図１５】
0003620412.tif 000016
【図１６】
0003620412.tif 000017
【図１７】
0003620412.tif 000018
【図１８】
0003620412.tif 000019
【図１９】
0003620412.tif 000020
【図２０】
0003620412.tif 000021
【図２１】
0003620412.tif 000022